(57)【要約】      （修正有）【課題】予め熱自立可能な温度範囲まで昇温させ、且つ熱自立可能な発電量範囲で発電させることにより、効率的発電が可能な高温型燃料電池を提供する。【解決手段】ｎ個の燃料電池モジュール１２ａ〜１２ｎと、ｍ個目の燃料電池モジュール１２ｍから排ガスを排出させるｍ個目の排ガス排出通路５０ｍと、ｍ個目の排ガス排出通路５０ｍから分岐するとともに、ｍ個目の燃料電池モジュール１２ｍから（ｍ＋１）個目の燃料電池モジュール１２（ｍ＋１）に排ガスを供給して、（ｍ＋１）個目の燃料電池モジュール１２（ｍ＋１）を暖機させるためのｍ個目の排ガス供給通路５４ｍと、ｍ個目の排ガス供給通路５４ｍからｍ個目の排ガス供給通路５４ｍを通って、（ｍ＋１）個目の燃料電池モジュール１２（ｍ＋１）に供給される排ガスの流量を制御する流量調整弁５２ｍとを備える燃料電池システム１０を、コンピュータによって制御するための制御プログラム。【選択図】図１
2010282798.tif 000002
【特許請求の範囲】
【請求項１】
燃料ガスと酸化剤ガスとの電気化学反応により発電するｎ（ｎ：２以上の自然数）個の燃料電池モジュールと、
ｍ（１≦ｍ＜ｎ：自然数）個目の前記燃料電池モジュールから排ガスを排出させるｍ個目の排ガス排出通路と、
ｍ個目の前記排ガス排出通路から分岐するとともに、ｍ個目の前記燃料電池モジュールから（ｍ＋１）個目の前記燃料電池モジュールに前記排ガスを供給して、（ｍ＋１）個目の前記燃料電池モジュールを暖機させるためのｍ個目の排ガス供給通路と、
ｍ個目の前記排ガス排出通路からｍ個目の前記排ガス供給通路を通って、（ｍ＋１）個目の前記燃料電池モジュールに供給される前記排ガスの流量を制御する排ガス流量制御部と、
を備える燃料電池システムを、コンピュータによって制御するための燃料電池システムの制御プログラムであって、
ｎ個の前記燃料電池モジュールの内、稼動中であるｍ個目の前記燃料電池モジュールを検出する第１のステップと、
ｍ個目の前記燃料電池モジュールの目標発電量を設定する第２のステップと、
ｍ個目の前記燃料電池モジュールの現在発電量を検出する第３のステップと、
前記目標発電量と前記現在発電量とを比較する第４のステップと、
前記第４のステップの比較結果に基づいて、前記現在発電量と予め設定された第１発電量設定値とを比較する第５のステップと、
前記第５のステップの比較結果に基づいて、未稼動である（ｍ＋１）個目の前記燃料電池モジュールの温度を検出する第６のステップと、
（ｍ＋１）個目の前記燃料電池モジュールの前記温度と予め設定された温度設定値とを比較する第７のステップと、
前記第７のステップの比較結果に基づいて、ｍ個目の前記燃料電池モジュールの燃料利用率を、予め設定された燃料利用率設定値よりも低くするとともに、（ｍ＋１）個目の前記燃料電池モジュールに前記排ガスの供給を開始又は前記排ガスの流量を増加する第８のステップと、
前記第７のステップの比較結果に基づいて、前記現在発電量と予め設定された前記第１発電量設定値よりも大きな第２発電量設定値とを比較する第９のステップと、
前記第９のステップの比較結果に基づいて、ｍ個目の前記燃料電池モジュールの発電量が少なくなるように制御するとともに、（ｍ＋１）個目の前記燃料電池モジュールの発電量が多くなるように制御する第１０のステップと、
前記第１０のステップの後、前記第４のステップの比較結果又は前記第５のステップの比較結果のいずれかに基づいて、ｍ個目の前記燃料電池モジュールの燃料利用率を前記燃料利用率設定値にするとともに、（ｍ＋１）個目の前記燃料電池モジュールへの前記排ガスの供給を停止する第１１のステップと、
を実行させることを特徴とする燃料電池システムの制御プログラム。
【請求項２】
請求項１記載の制御プログラムにおいて、前記第４のステップで、前記目標発電量が前記現在発電量超過であるとされた際、前記第５のステップを実行させることを特徴とする燃料電池システムの制御プログラム。
【請求項３】
請求項１又は２記載の制御プログラムにおいて、前記第４のステップで、前記目標発電量が前記現在発電量以下であるとされた際、前記第１１のステップを実行させることを特徴とする燃料電池システムの制御プログラム。
【請求項４】
請求項１〜３のいずれか１項に記載の制御プログラムにおいて、前記第５のステップで、前記現在発電量が前記第１発電量設定値以上であるとされた際、前記第６のステップを実行させることを特徴とする燃料電池システムの制御プログラム。
【請求項５】
請求項１〜４のいずれか１項に記載の制御プログラムにおいて、前記第５のステップで、前記現在発電量が前記第１発電量設定値未満であるとされた際、前記第１１のステップを実行させることを特徴とする燃料電池システムの制御プログラム。
【請求項６】
請求項１〜５のいずれか１項に記載の制御プログラムにおいて、前記第７のステップで、（ｍ＋１）個目の前記燃料電池モジュールの前記温度が前記温度設定値以上であるとされた際、前記第９のステップを実行させることを特徴とする燃料電池システムの制御プログラム。
【請求項７】
請求項１〜６のいずれか１項に記載の制御プログラムにおいて、前記第７のステップで、（ｍ＋１）個目の前記燃料電池モジュールの前記温度が前記温度設定値未満であるとされた際、前記第８のステップを実行させることを特徴とする燃料電池システムの制御プログラム。
【請求項８】
請求項１〜７のいずれか１項に記載の制御プログラムにおいて、前記第８のステップの後、前記第２のステップに戻ることを特徴とする燃料電池システムの制御プログラム。
【請求項９】
請求項１〜８のいずれか１項に記載の制御プログラムにおいて、前記第９のステップで、前記現在発電量が前記第２発電量設定値以上であるとされた際、前記第１０のステップを実行させることを特徴とする燃料電池システムの制御プログラム。
【請求項１０】
請求項１〜９のいずれか１項に記載の制御プログラムにおいて、前記第９のステップで、前記現在発電量が前記第２発電量設定値未満であるとされた際、前記第２のステップに戻ることを特徴とする燃料電池システムの制御プログラム。
【請求項１１】
請求項１〜１０のいずれか１項に記載の制御プログラムにおいて、前記燃料電池モジュールは、固体酸化物形燃料電池モジュールであることを特徴とする燃料電池システムの制御プログラム。
【発明の詳細な説明】
【技術分野】
【０００１】
本発明は、燃料ガスと酸化剤ガスとの電気化学反応により発電する複数の燃料電池モジュールを備える燃料電池システムを、コンピュータによって制御するための燃料電池システムの制御プログラムに関する。
【背景技術】
【０００２】
通常、固体酸化物形燃料電池（ＳＯＦＣ）は、固体電解質に酸化物イオン導電体、例えば、安定化ジルコニアを用いている。この固体電解質の両側に、アノード電極及びカソード電極を配設した電解質・電極接合体は、セパレータ（バイポーラ板）によって挟持されている。この燃料電池は、通常、電解質・電極接合体とセパレータとが所定の数だけ積層された燃料電池スタックとして使用されている。
【０００３】
この種の燃料電池スタックを組み込む電力供給システムでは、例えば、電力需要量の変動に対応するために、あるいは、複数の負荷に対応するために、複数の燃料電池スタックを併設する場合がある。
【０００４】
特許文献１に開示されている電力供給システムは、データを送受信することが可能な制御手段で受信した信号により発電量が制御される複数の燃料電池と、前記複数の燃料電池の前記制御手段とを送受信することが可能な制御装置を有している。制御装置は、電力負荷を検出する電力負荷検出手段と、複数の燃料電池毎に発電量を検出する発電量検出手段と、前記発電量検出手段で検出された一定期間の発電量を前記複数の燃料電池毎に累積する一定期間発電量累積手段と、前記一定期間発電量累積手段が累積する発電量が所定の閾値を越えたときに累積する発電量をクリアする累積発電量クリア手段と、前記複数の燃料電池の動作順位を決定する動作順位決定手段と、前記電力負荷検出手段で検出された電力負荷と前記動作順位決定手段で決定された動作順位をもとに前記複数の燃料電池毎の発電量を決定する発電量決定手段と、前記発電量決定手段で決定された発電量を前記複数の燃料電池に係る制御手段へ送信する送信手段を備えている。そして、動作順位決定手段は、一定期間発電量累積手段で累積した発電量が大きい前記複数の燃料電池ほど動作順位を高くしている。
【０００５】
これにより、電力需要者毎の電力負荷の変動に対して、複数の燃料電池において動作順位が高いものから発電させることで、最も発電効率がよい最大定格出力で燃料電池相互間で電力補完を実行させるととともに、動作順位を定期的に変えることで、複数の燃料電池の総発電量の平均化により経年劣化を均等化することができ、複数の燃料電池のメンテナンス時期や交換時期等を平均化することが可能となる、としている。
【０００６】
また、特許文献２は、複数個の固体酸化物形燃料電池スタックを併置した固体酸化物形燃料電池システムの運転制御プログラムであって、各固体酸化物形燃料電池スタックの燃料流量、空気流量及び負荷量を独立に制御し、システム全体として発電効率を最大にすることを特徴としている。
【先行技術文献】
【特許文献】
【０００７】
【特許文献１】特開２００９−０４３５２０号公報
【特許文献２】特開２００７−０５９３５９号公報
【発明の概要】
【発明が解決しようとする課題】
【０００８】
例えば、ＳＯＦＣ等の高温型燃料電池では、燃料電池を効率的に発電させるために、前記燃料電池が熱自立可能な温度範囲にあり、且つ熱自立可能な発電量範囲で発電することが必要である。なお、熱自立とは、外部から熱を加えることなく自ら発生する熱のみで燃料電池の動作温度を維持することをいう。
【０００９】
しかしながら、上記の特許文献１では、単に、動作順位を決定して各燃料電池の未発電（未稼動）と発電（稼動）とを切り換えているだけである。このため、燃料電池を予め熱自立可能な温度範囲まで昇温させ、且つ熱自立可能な発電量範囲で発電することが考慮されておらず、ＳＯＦＣの制御に良好に適用させることができないという問題がある。
【００１０】
また、上記の特許文献２では、各固体酸化物形燃料電池スタックの燃料流量、空気流量及び負荷量を独立に制御するだけである。従って、燃料電池を予め熱自立可能な温度範囲まで昇温させ、且つ熱自立可能な発電量範囲で発電することが考慮されておらず、ＳＯＦＣの制御に良好に適用させることができないという問題がある。
【００１１】
本発明はこの種の問題を解決するものであり、複数の燃料電池モジュールを予め熱自立可能な温度範囲まで昇温させ、且つ熱自立可能な発電量範囲で発電させるとともに、負荷追従性の向上を図ることが可能な燃料電池システムの制御プログラムを提供することを目的とする。
【課題を解決するための手段】
【００１２】
本発明は、燃料ガスと酸化剤ガスとの電気化学反応により発電するｎ（ｎ：２以上の自然数）個の燃料電池モジュールと、ｍ（１≦ｍ＜ｎ：自然数）個目の前記燃料電池モジュールから排ガスを排出させるｍ個目の排ガス排出通路と、ｍ個目の前記排ガス排出通路から分岐するとともに、ｍ個目の前記燃料電池モジュールから（ｍ＋１）個目の前記燃料電池モジュールに前記排ガスを供給して、（ｍ＋１）個目の前記燃料電池モジュールを暖機させるためのｍ個目の排ガス供給通路と、ｍ個目の前記排ガス排出通路からｍ個目の前記排ガス供給通路を通って、（ｍ＋１）個目の前記燃料電池モジュールに供給される前記排ガスの流量を制御する排ガス流量制御部とを備える燃料電池システムを、コンピュータによって制御するための燃料電池システムの制御プログラムに関するものである。
【００１３】
この制御プログラムは、ｎ個の燃料電池モジュールの内、稼動中であるｍ個目の前記燃料電池モジュールを検出する第１のステップと、ｍ個目の前記燃料電池モジュールの目標発電量を設定する第２のステップと、ｍ個目の前記燃料電池モジュールの現在発電量を検出する第３のステップと、前記目標発電量と前記現在発電量とを比較する第４のステップと、前記第４のステップの比較結果に基づいて、前記現在発電量と予め設定された第１発電量設定値とを比較する第５のステップと、前記第５のステップの比較結果に基づいて、未稼動である（ｍ＋１）個目の前記燃料電池モジュールの温度を検出する第６のステップと、（ｍ＋１）個目の前記燃料電池モジュールの前記温度と予め設定された温度設定値とを比較する第７のステップと、前記第７のステップの比較結果に基づいて、ｍ個目の前記燃料電池モジュールの燃料利用率を、予め設定された燃料利用率設定値よりも低くするとともに、（ｍ＋１）個目の前記燃料電池モジュールに前記排ガスの供給を開始又は前記排ガスの流量を増加する第８のステップと、前記第７のステップの比較結果に基づいて、前記現在発電量と予め設定された前記第１発電量設定値よりも大きな第２発電量設定値とを比較する第９のステップと、前記第９のステップの比較結果に基づいて、ｍ個目の前記燃料電池モジュールの発電量が少なくなるように制御するとともに、（ｍ＋１）個目の前記燃料電池モジュールの発電量が多くなるように制御する第１０のステップと、前記第１０のステップの後、前記第４のステップの比較結果又は前記第５のステップの比較結果のいずれかに基づいて、ｍ個目の前記燃料電池モジュールの燃料利用率を前記燃料利用率設定値にするとともに、（ｍ＋１）個目の前記燃料電池モジュールへの前記排ガスの供給を停止する第１１のステップとを実行させている。
【００１４】
また、この制御プログラムは、第４のステップで、目標発電量が現在発電量超過であるとされた際、第５のステップを実行させることが好ましい。このため、目標発電量が現在発電量超過である際に、前記現在発電量と予め設定された第１発電量設定値とが比較され、適切な処理を実行させることができる。
【００１５】
さらに、この制御プログラムは、第４のステップで、目標発電量が現在発電量以下であるとされた際、第１１のステップを実行させることが好ましい。従って、目標発電量が現在発電量以下である際に、無駄なステップを省くことが可能になり、処理の迅速化が容易に図られる。
【００１６】
しかも、各燃料電池モジュールの燃料利用率が、予め設定された燃料利用率設定値に戻されるため、各燃料電池モジュールの発電効率が向上する。その上、（ｍ＋１）個目の燃料電池モジュールに供給する排ガスの流量が停止されるため、各燃料電池モジュールの熱自立が可能になり、燃料電池システムの熱効率が向上する。ここで、熱自立とは、外部から熱を加えることなく自ら発生する熱のみで燃料電池の動作温度を維持することをいう。
【００１７】
さらにまた、この制御プログラムは、第５のステップで、現在発電量が第１発電量設定値以上であるとされた際、第６のステップを実行させることが好ましい。これにより、現在発電量が第１発電量設定値以上である際に、未稼動である（ｍ＋１）個目の燃料電池モジュールの温度が検出されるため、適切な処理を実行させることができる。
【００１８】
また、この制御プログラムは、第５のステップで、現在発電量が第１発電量設定値未満であるとされた際、第１１のステップを実行させることが好ましい。このため、現在発電量が第１発電量設定値未満である際に、無駄なステップを省くことが可能になり、処理の迅速化が容易に図られる。
【００１９】
しかも、各燃料電池モジュールの燃料利用率が、予め設定された燃料利用率設定値に戻されるため、各燃料電池モジュールの発電効率が向上する。その上、（ｍ＋１）個目の燃料電池モジュールに供給する排ガスの流量が停止されるため、各燃料電池モジュールの熱自立が可能になり、燃料電池システムの熱効率が向上する。
【００２０】
さらに、この制御プログラムは、第７のステップで、（ｍ＋１）個目の燃料電池モジュールの温度が温度設定値以上であるとされた際、前記第９のステップを実行させることが好ましい。従って、（ｍ＋１）個目の燃料電池モジュールの温度が温度設定値以上である際に、現在発電量と第２発電量設定値とが比較されるため、適切な処理を実行させることができる。
【００２１】
さらにまた、この制御プログラムは、第７のステップで、（ｍ＋１）個目の燃料電池モジュールの温度が温度設定値未満であるとされた際、第８のステップを実行させることが好ましい。これにより、（ｍ＋１）個目の燃料電池モジュールの温度が温度設定値未満である際に、（ｍ＋１）個目の前記燃料電池モジュールに排ガスの供給が開始又は前記排ガスの流量が増加されるため、適切な処理を実行させることが可能になる。
【００２２】
しかも、（ｍ＋１）個目の燃料電池モジュールに排ガスの供給が開始又は前記排ガスの流量が増加されるため、未稼動である（ｍ＋１）個目の前記燃料電池モジュールの温度を熱自立可能な温度範囲に昇温することができる。
【００２３】
また、この制御プログラムは、第８のステップの後、第２のステップに戻ることが好ましい。このため、（ｍ＋１）個目の燃料電池モジュールの温度が発電効率のよい温度に昇温するまで、（ｍ＋１）個目の前記燃料電池モジュールが稼動することがなく、燃料電池システムの発電効率の向上が図られる。
【００２４】
さらに、この制御プログラムは、第９のステップで、現在発電量が第２発電量設定値以上であるとされた際、第１０のステップを実行させることが好ましい。従って、現在発電量が第２発電量設定値以上である際に、（ｍ＋１）個目の燃料電池モジュールの発電量が多くなるように制御するため、適切な処理を実行させることが可能になる。
【００２５】
さらにまた、この制御プログラムは、第９のステップで、現在発電量が第２発電量設定値未満であるとされた際、第２のステップに戻ることが好ましい。これにより、現在発電量が第２発電量設定値未満である際に、無駄なステップを省くことが可能になり、処理の迅速化が容易に図られる。しかも、ｍ個目及び（ｍ＋１）個目の燃料電池モジュールを熱自立可能な発電量範囲で発電することができ、燃料電池システムの発電効率の向上が図られる。
【００２６】
また、この制御プログラムは、燃料電池モジュールが、固体酸化物形燃料電池モジュールであることが好ましい。これにより、高温型燃料電池モジュールに最適に採用することができる。
【発明の効果】
【００２７】
本発明によれば、ｎ個の燃料電池モジュールを備えているため、運転範囲（発電量範囲）を良好に拡大させることができ、汎用性の向上が図られる。
【００２８】
また、（ｍ＋１）個目の燃料電池モジュールを稼動させる前に、稼動中であるｍ個目の前記燃料電池モジュールの排ガスを介して、予め（ｍ＋１）個目の前記燃料電池モジュールを暖機することが可能になる。これにより、稼動台数の増加（負荷増加）時に、（ｍ＋１）個目の燃料電池モジュールの起動エネルギを最小化することができるとともに、負荷追従性の向上が図られる。
【００２９】
さらに、ｍ個目の燃料電池モジュールの現在発電量と、（ｍ＋１）個目の前記燃料電池モジュールの温度に基づいて、ｍ個目の前記燃料電池モジュールの燃料利用率が減少され、且つ（ｍ＋１）個目の前記燃料電池モジュールに排ガスの供給が開始又は排ガスの流量が増加される。
【００３０】
従って、（ｍ＋１）個目の燃料電池モジュールの温度を増加させることが可能になる。これにより、未稼動状態の（ｍ＋１）個目の燃料電池モジュールの温度を、熱自立可能な温度範囲まで昇温させることができる。
【００３１】
さらにまた、（ｍ＋１）個目の燃料電池モジュールの温度と、ｍ個目の燃料電池モジュールの現在発電量に基づいて、ｍ個目の前記燃料電池モジュールの発電量が減少される一方、（ｍ＋１）個目の前記電池モジュールの発電量が増加される。このため、ｍ個目及び（ｍ＋１）個目の燃料電池モジュールを、熱自立可能な発電量範囲で発電させることが可能になる。
【００３２】
また、第１０のステップの後、各燃料電池モジュールの燃料利用率を、燃料利用率設定値に戻すため、各燃料電池モジュールの発電効率が向上する。しかも、（ｍ＋１）個目の燃料電池モジュールに供給する排ガスの流量が停止されるため、各燃料電池モジュールの熱自立が可能になり、燃料電池システムの熱効率の向上が図られる。
【００３３】
さらに、第１発電量設定値（排ガスによる暖機開始用閾値）は、第２発電量設定値（稼動開始用閾値）未満である。このため、（ｍ＋１）個目の燃料電池モジュールを稼動させる前に、稼動中であるｍ個目の前記燃料電池モジュールの排ガスを介して、（ｍ＋１）個目の前記燃料電池モジュールを予め暖機することができる。従って、稼動台数の増加（負荷増加）時に、（ｍ＋１）個目の燃料電池モジュールの起動エネルギを最小化することが可能になるとともに、負荷追従性の向上が図られる。
【図面の簡単な説明】
【００３４】
【図１】本発明の実施形態に係る制御プログラムが適用される燃料電池システムの概略構成図である。
【図２】前記燃料電池システムの要部説明図である。
【図３】前記燃料電池システムの制御プログラムを説明するフローチャートである。
【図４】前記燃料電池システムの運転状況の説明図である。
【図５】前記制御プログラムにおける個別出力及び総合出力の関係説明図である。
【図６】前記制御プログラムにおける起動順序の説明図である。
【発明を実施するための形態】
【００３５】
図１に示すように、本発明の実施形態に係る制御プログラムが適用される燃料電池システム１０は、燃料ガスと酸化剤ガスとの電気化学反応により発電するｎ（ｎ：２以上の自然数）個の燃料電池モジュール１２ａ〜１２ｎと、前記燃料電池モジュール１２ａ〜１２ｎの発電量を制御する制御装置１４とを備える。
【００３６】
図１及び図２に示すように、燃料電池モジュール１２ａ〜１２ｎ（以下、単に燃料電池モジュール１２ともいう）は、複数の固体酸化物形の燃料電池１６が積層される固体酸化物形の燃料電池スタック１８を備える。燃料電池１６は、例えば、安定化ジルコニア等の酸化物イオン導電体で構成される電解質の両面に、カソード電極及びアノード電極が設けられた電解質・電極接合体（ＭＥＡ）を備える。電解質・電極接合体は、円板状に形成されるとともに、シールレスタイプの燃料電池を構成する。
【００３７】
図２に示すように、燃料電池スタック１８の中心部には、燃料ガス供給連通孔２０が積層方向（矢印Ａ方向）に延在して設けられ、前記燃料ガス供給連通孔２０から各燃料電池１６のアノード電極に燃料ガスが供給される。
【００３８】
燃料電池スタック１８の中央縁部には、燃料ガス供給連通孔２０を中心に同心円上に複数の酸化剤ガス供給連通孔２２が設けられ、この酸化剤ガス供給連通孔２２から各燃料電池１６のカソード電極に空気が供給される。排ガス連通孔２４は、アノード電極で使用された燃料ガス及びカソード電極で使用された空気を排出する。
【００３９】
燃料電池スタック１８の積層方向一端側には、酸化剤ガスを前記燃料電池スタック１８に供給する前に加熱する熱交換器２６と、原燃料と水蒸気との混合燃料を生成するために、水を蒸発させる蒸発器２８と、前記混合燃料を改質して改質ガスを生成する改質器３０とが配設される。
【００４０】
燃料電池スタック１８の積層方向他端側には、必要に応じて燃焼器３２が配設される。燃料電池スタック１８には、燃料電池モジュール１２の温度を検出するための温度センサ３３が装着される。
【００４１】
改質器３０は、都市ガス（原燃料）中に含まれるエタン（Ｃ2Ｈ6）、プロパン（Ｃ3Ｈ8）及びブタン（Ｃ4Ｈ10）等の高級炭化水素（Ｃ2+）を、主としてメタン（ＣＨ4）、水素、ＣＯを含む燃料ガスに水蒸気改質するための予備改質器であり、数百℃の作動温度に設定される。
【００４２】
燃料電池１６は、作動温度が数百℃と高温であり、電解質・電極接合体では、燃料ガス中のメタンが改質されて水素、ＣＯが得られ、この水素、ＣＯがアノード電極に供給される。
【００４３】
熱交換器２６は、燃料電池スタック１８から排出される使用済み反応ガス（以下、排ガスともいう）を流すための排ガス通路３４と、被加熱流体である空気を排ガスと対向流に流すための空気通路３６とを有する。空気通路３６の下流側は、燃料電池スタック１８の酸化剤ガス供給連通孔２２に連通する。空気通路３６の上流側は、空気供給管３８を介して酸化剤ガス供給装置４０に連通する。
【００４４】
蒸発器２８の入口側は、原燃料通路４２及び水通路４４を介して原燃料供給装置４６及び水供給装置４８に接続される。蒸発器２８の出口側は、改質器３０に連通するとともに、前記改質器３０は、燃料ガス供給連通孔２０に連通する。
【００４５】
熱交換器２６には、新たな空気と熱交換された排ガスを、燃料電池モジュール１２から排出させる排ガス排出通路５０（５０ａ〜５０ｎ）が設けられる。図１に示すように、排ガス排出通路５０（５０ａ〜５０ｎ）は、流量調整弁（開閉弁も含む）５２（５２ａ〜５２ｎ）を介して排ガス供給通路５４（５４ａ〜５４ｎ）が分岐する。
【００４６】
ｍ（１≦ｍ＜ｎ：自然数）個目の燃料電池モジュール１２ｍは、ｍ個目の前記燃料電池モジュール１２ｍから排ガスを排出させるｍ個目の排ガス排出通路５０ｍと、ｍ個目の前記排ガス排出通路５０ｍから分岐するとともに、ｍ個目の前記燃料電池モジュール１２ｍから（ｍ＋１）個目の燃料電池モジュール１２（ｍ＋１）に前記排ガスを供給して、（ｍ＋１）個目の前記燃料電池モジュール１２（ｍ＋１）を暖機させるためのｍ個目の排ガス供給通路５４ｍとを備える。
【００４７】
ｍ個目の排ガス供給通路５４ｍは、（ｍ＋１）個目の燃料電池モジュール１２（ｍ＋１）を構成する（ｍ＋１）個目の燃料電池スタック１８に連通して前記燃料電池スタック１８に排ガスを供給する。なお、ｍ個目の排ガス供給通路５４ｍは、（ｍ＋１）個目の燃料電池モジュール１２（ｍ＋１）を構成する（ｍ＋１）個目の熱交換器２６に連通して前記熱交換器２６に排ガスを供給してもよい。また、ｍ個目の排ガス供給通路５４ｍは、切換弁５６を介装して排ガスを燃料電池スタック１８と熱交換器２６とに選択的に供給するように構成してもよい。
【００４８】
ｎ個目の燃料電池モジュール１２ｎでは、ｎ個目の排ガス供給通路５４ｎの一端は、ｎ個目の前記燃料電池モジュール１２ｎのｎ個目の排ガス排出通路５０ｎから分岐するとともに、ｎ個目の前記排ガス供給通路５４ｎの他端は、１個目の燃料電池モジュール１２ａの少なくとも燃料電池スタック１８又は熱交換器２６のいずれかに連通する。
【００４９】
図２に示すように、制御装置１４は、ｍ個目の燃料電池モジュール１２ｍの発電量及び（ｍ＋１）個目の燃料電池モジュール１２（ｍ＋１）の温度に基づいて、ｍ個目の前記燃料電池モジュール１２ｍの燃料利用率を制御する燃料利用率制御部６０と、ｍ個目の排ガス排出通路５０ｍからｍ個目の排ガス供給通路５４ｍを通って、（ｍ＋１）個目の前記燃料電池モジュール１２（ｍ＋１）に供給される排ガスの流量を制御する排ガス流量制御部６２と、ｍ個目の前記燃料電池モジュール１２ｍ及び（ｍ＋１）個目の前記燃料電池モジュール１２（ｍ＋１）の発電量を制御する発電量制御部６４とを備える。
【００５０】
制御装置１４は、ｍ個目の燃料電池モジュール１２ｍの発電量と予め設定された第１発電量設定値Ｐ１との比較、ｍ個目の前記燃料電池モジュール１２ｍの発電量と予め設定された前記第１発電量Ｐ１よりも大きな第２発電量設定値Ｐ２（Ｐ１＜Ｐ２）との比較、及び（ｍ＋１）個目の燃料電池モジュール１２（ｍ＋１）の温度と予め設定された温度設定値Ｔ１との比較を実行させる比較部６６を備える。
【００５１】
このように構成される燃料電池システム１０の制御プログラムについて、図３に示すフローチャートに沿って以下に説明する。
【００５２】
燃料電池システム１０の運転状況は、例えば、図４に示すように、１個目の燃料電池モジュール１２ａ〜ｍ個目の燃料電池モジュール１２ｍまでが稼動中である。
【００５３】
具体的には、燃料電池モジュール１２ａでは、図２に示すように、原燃料供給装置４６の駆動作用下に、原燃料通路４２には、例えば、都市ガス（ＣＨ4、Ｃ2Ｈ6、Ｃ3Ｈ8、Ｃ4Ｈ10を含む）等の原燃料が供給される。一方、水供給装置４８の駆動作用下に、水通路４４には、水が供給されるとともに、空気供給管３８には、酸化剤ガス供給装置４０を介して酸化剤ガスである、例えば、空気が供給される。
【００５４】
蒸発器２８では、原燃料に水蒸気が混在されて混合燃料が得られ、この混合燃料は、改質器３０に供給される。混合燃料は、改質器３０内で水蒸気改質され、Ｃ2+の炭化水素が除去（改質）されてメタンを主成分とする燃料ガス（改質ガス）が得られる。この燃料ガスは、燃料電池スタック１８の燃料ガス供給連通孔２０に供給される。
【００５５】
一方、空気供給管３８から熱交換器２６に供給される空気は、この熱交換器２６の空気通路３６に沿って移動する際、排ガス通路３４に沿って移動する後述する排ガスとの間で熱交換が行われ、所望の温度に予め加温されている。熱交換器２６で加温された空気は、燃料電池スタック１８の酸化剤ガス供給連通孔２２に供給される。
【００５６】
従って、各燃料電池１６のアノード電極に燃料ガスが供給されるとともに、カソード電極に空気が供給され、化学反応により発電が行われる。反応に使用された燃料ガス及び空気を含む排ガスは、オフガスとして排ガス通路３４を介して熱交換器２６に供給された後、排ガス排出通路５０（５０ａ）に排出される。
【００５７】
制御装置１４では、先ず、燃料電池システム１０内の稼動中の燃料電池モジュール１２の台数ｍを検出する（図３中、ステップＳ１）（第１のステップ）。１個目の燃料電池モジュール１２ａ〜ｍ個目の燃料電池モジュール１２ｍまでが稼動中であることが検出されると、ステップＳ２（第２のステップ）に進んで、ｍ個目の燃料電池モジュール１２ｍの目標発電量Ｐｔａｒ（ｍ）が設定される。さらに、ステップＳ３（第３のステップ）に進んで、ｍ個目の燃料電池モジュール１２ｍの現在発電量Ｐｎｏｗ（ｍ）が検出される。なお、ステップＳ２とステップＳ３とは、逆の順に行ってもよい。
【００５８】
次に、ｍ個目の燃料電池モジュール１２ｍにおいて、目標発電量Ｐｔａｒ（ｍ）と現在発電量Ｐｎｏｗ（ｍ）とが比較される（ステップＳ４）（第４のステップ）。そして、現在発電量Ｐｎｏｗ（ｍ）が、目標発電量Ｐｔａｒ（ｍ）未満であると判断されると（ステップＳ４中、ＹＥＳ）、ステップＳ５（第５のステップ）に進んで、前記現在発電量Ｐｎｏｗ（ｍ）が、第１発電量設定値Ｐ１と比較される。図４に示すように、第１発電量設定値Ｐ１は、燃料電池モジュール１２の定格の５０％〜７０％、より好ましくは、６０％に設定される。この第１発電量設定値Ｐ１は、排ガスを次段の燃料電池モジュール１２に供給するための熱トリガーとして機能する。
【００５９】
ｍ個目の燃料電池モジュール１２ｍにおいて、現在発電量Ｐｎｏｗ（ｍ）が、第１発電量設定値Ｐ１以上であると判断されると（ステップＳ５中、ＹＥＳ）、ステップＳ６（第６のステップ）に進んで、（ｍ＋１）個目の燃料電池モジュール１２（ｍ＋１）の温度Ｔ（ｍ＋１）が検出される。
【００６０】
さらに、ステップＳ７（第７のステップ）に進み、（ｍ＋１）個目の燃料電池モジュール１２（ｍ＋１）の温度Ｔ（ｍ＋１）が、温度設定値Ｔ１（図４参照）と比較される。温度Ｔ（ｍ＋１）が、温度設定値Ｔ１未満であると判断されると（ステップＳ７中、ＮＯ）、ステップＳ８（第８のステップ）に進んで、燃料利用率制御部６０は、ｍ個目の燃料電池モジュール１２ｍの燃料利用率Ｕｆ（ｍ）が低くなるように制御し、且つ排ガス流量制御部６２は、（ｍ＋１）個目の燃料電池モジュール１２（ｍ＋１）に排ガスの供給が開始又は前記排ガスの流量が増加されるように制御する。
【００６１】
具体的には、図１に示すように、ｍ個目の燃料電池モジュール１２ｍにおいて、ｍ個目の排ガス排出通路５０ｍに配設されている流量調整弁５２ｍの開度が調整され（又は排ガス供給通路５４ｍ側に開放され）、ｍ個目の排ガス供給通路５４ｍに供給される排ガスの流量が多くなるように調整される。上記の処理の後、ステップＳ２に戻される。
【００６２】
一方、ステップＳ７において、（ｍ＋１）個目の燃料電池モジュール１２（ｍ＋１）の温度Ｔ（ｍ＋１）が、温度設定値Ｔ１以上であると判断されると（ステップＳ７中、ＹＥＳ）、ステップＳ９（第９のステップ）に進む。このステップＳ９では、ｍ個目の燃料電池モジュール１２ｍの現在発電量Ｐｎｏｗ（ｍ）が、第２発電量設定値Ｐ２と比較される。図４に示すように、第２発電量設定値Ｐ２は、燃料電池モジュール１２の定格の９０％〜１００％、より好ましくは、１００％に設定される。この第２発電量設定値Ｐ２は、次段の燃料電池モジュール１２を発電させるための発電トリガーとして機能する。
【００６３】
ｍ個目の燃料電池モジュール１２ｍにおいて、現在発電量Ｐｎｏｗ（ｍ）が、第２発電量設定値Ｐ２以上であると判断されると（ステップＳ９中、ＹＥＳ）、ステップＳ１０（第１０のステップ）に進む。このステップＳ１０では、発電量制御部６４は、ｍ個目の燃料電池モジュール１２ｍの発電量が少なくなるように制御するとともに、（ｍ＋１）個目の燃料電池モジュール１２（ｍ＋１）の発電量が多くなるように制御する（図５参照）。
【００６４】
そして、ステップＳ１１に進んで、燃料電池システム１０内の稼動台数が、（ｍ＋１）→ｍに設定された後、ステップＳ１２（第１１のステップ）に進む。なお、このステップＳ１１は、省略してもよい。
【００６５】
ステップＳ１２では、ｍ個目の燃料電池モジュール１２ｍの燃料利用率Ｕｆ（ｍ）が、燃料利用率Ｕｆ１に設定されるとともに、流量調整弁５２ｍの開度が調整され、ｍ個目の排ガス供給通路５４ｍへの排ガスの供給が停止される。ここで、燃料利用率Ｕｆ１は、図４に示すように、１０％〜８０％、より好ましくは、７０％に設定される。
【００６６】
また、ステップＳ４で、現在発電量Ｐｎｏｗ（ｍ）が、目標発電量Ｐｔａｒ（ｍ）以上であると判断された際（ステップＳ４中、ＮＯ）、及びステップＳ５で、前記現在発電量Ｐｎｏｗ（ｍ）が、第１発電量設定値Ｐ１未満であると判断された際（ステップＳ５中、ＮＯ）、ステップＳ１２に進む。
【００６７】
この場合、本実施形態では、燃料電池システム１０は、ｎ個の燃料電池モジュール１２ａ〜１２ｎを備えているため、運転範囲（発電量範囲）を良好に拡大ささせることができ、汎用性の向上が図られる。
【００６８】
また、（ｍ＋１）個目の燃料電池モジュール１２（ｍ＋１）を稼動させる前に、稼動中であるｍ個目の燃料電池モジュール１２ｍの排ガスを介して、予め（ｍ＋１）個目の前記燃料電池モジュール１２（ｍ＋１）を暖機することが可能になる。これにより、稼動台数の増加（負荷増加）時に、（ｍ＋１）個目の燃料電池モジュール１２（ｍ＋１）の起動エネルギを最小化することができるとともに、負荷追従性の向上が図られるという効果が得られる。
【００６９】
さらに、ｍ個目の燃料電池モジュール１２ｍの現在発電量Ｐｎｏｗ（ｍ）と、（ｍ＋１）個目の燃料電池モジュール１２（ｍ＋１）の温度Ｔ（ｍ＋１）に基づいて、ｍ個目の前記燃料電池モジュール１２ｍの燃料利用率Ｕｆ（ｍ）が減少され、且つ（ｍ＋１）個目の前記燃料電池モジュール１２（ｍ＋１）に排ガスの供給が開始又は前記排ガスの流量が増加される。
【００７０】
従って、（ｍ＋１）個目の燃料電池モジュール１２（ｍ＋１）の温度Ｔ（ｍ＋１）を増加させることが可能になる。これにより、未稼動状態の（ｍ＋１）個目の燃料電池モジュール１２（ｍ＋１）の温度を、熱自立可能な温度範囲まで迅速に昇温させることができる。ここで、熱自立とは、外部から熱を加えることなく自ら発生する熱のみで燃料電池１６の動作温度を維持することをいう。
【００７１】
さらにまた（ｍ＋１）個目の燃料電池モジュール１２（ｍ＋１）の温度Ｔ（ｍ＋１）と、ｍ個目の燃料電池モジュール１２ｍの現在発電量Ｐｎｏｗ（ｍ）に基づいて、ｍ個目の前記燃料電池モジュール１２ｍの発電量が減少される一方、（ｍ＋１）個目の前記燃料電池モジュール１２（ｍ＋１）の発電量が増加される。このため、ｍ個目の燃料電池モジュール１２ｍ及び（ｍ＋１）個目の燃料電池モジュール１２（ｍ＋１）を、熱自立可能な発電量範囲で発電させることが可能になる。
【００７２】
また、ステップＳ１０（第１０のステップ）の後、ｍ個目の燃料電池モジュール１２ｍの燃料利用率Ｕｆ（ｍ）が、燃料利用率Ｕｆ１に戻されるため、ｍ個目の燃料電池モジュール１２ｍの発電効率が向上する。しかも、（ｍ＋１）個目の燃料電池モジュール１２（ｍ＋１）に供給する排ガスの流量が停止されるため、各燃料電池モジュール１２の熱自立が可能になり、燃料電池システム１０の熱効率の向上が図られる。
【００７３】
しかも、第１発電量設定値（排ガスによる暖機開始用熱トリガー）Ｐ１は、第２発電量設定値（稼動開始用発電トリガー）Ｐ２未満である。このため、（ｍ＋１）個目の燃料電池モジュール１２（ｍ＋１）を稼動させる前に、稼動中であるｍ個目の燃料電池モジュール１２ｍの排ガスを介して、（ｍ＋１）個目の前記燃料電池モジュール１２（ｍ＋１）を予め暖機することができる。従って、稼動台数の増加（負荷増加）時に、（ｍ＋１）個目の燃料電池モジュール１２（ｍ＋１）の起動エネルギを最小化することが可能になるとともに、負荷追従性の向上が図られる。
【００７４】
また、ステップＳ４（第４のステップ）で、目標発電量Ｐｔａｒ（ｍ）が現在発電量Ｐｎｏｗ（ｍ）超過であるとされた際、ステップＳ５（第５のステップ）が実行される。このため、現在発電量Ｐｎｏｗ（ｍ）と予め設定された第１発電量設定値Ｐ１とが比較され、適切な処理を実行させることができる。
【００７５】
さらに、ステップＳ４（第４のステップ）で、目標発電量Ｐｔａｒ（ｍ）が現在発電量Ｐｎｏｗ（ｍ）以下であるとされた際、ステップＳ１２（第１１のステップ）が実行される。従って、無駄なステップ（ステップＳ５〜ステップＳ１１）を省くことが可能になり、処理の迅速化が容易に図られる。
【００７６】
しかも、ｍ個目の燃料電池モジュール１２ｍの燃料利用率Ｕｆ（ｍ）が、予め設定された燃料利用率設定値Ｕｆ１に戻されるため、ｍ個目の燃料電池モジュール１２ｍの発電効率が向上する。その上、（ｍ＋１）個目の燃料電池モジュール１２（ｍ＋１）に供給する排ガスの流量が停止されるため、（ｍ＋１）個目の前記燃料電池モジュール１２（ｍ＋１）の熱自立が可能になり、燃料電池システム１０の熱効率が向上する。ここで、熱自立とは、外部から熱を加えることなく自ら発生する熱のみで燃料電池の動作温度を維持することをいう。
【００７７】
さらにまた、ステップＳ５（第５のステップ）で、現在発電量Ｐｎｏｗ（ｍ）が第１発電量設定値Ｐ１以上であるとされた際、ステップＳ６（第６のステップ）が実行さている。これにより、未稼動である（ｍ＋１）個目の燃料電池モジュール１２（ｍ＋１）の温度Ｔ（ｍ＋１）が検出されるため、適切な処理を実行させることができる。
【００７８】
また、ステップＳ５（第５のステップ）で、現在発電量Ｐｎｏｗ（ｍ）が第１発電量設定値Ｐ１未満であるとされた際、ステップＳ１２（第１１のステップ）が実行される。従って、無駄なステップ（ステップＳ６〜ステップＳ１１）を省くことが可能になり、処理の迅速化が容易に図られる。
【００７９】
しかも、ｍ個目の燃料電池モジュール１２ｍの燃料利用率Ｕｆ（ｍ）が、予め設定された燃料利用率設定値Ｕｆ１に戻されるため、ｍ個目の燃料電池モジュール１２ｍの発電効率が向上する。その上、（ｍ＋１）個目の燃料電池モジュール１２（ｍ＋１）に供給する排ガスの流量が停止されるため、（ｍ＋１）個目の燃料電池モジュール１２（ｍ＋１）の熱自立が可能になり、燃料電池システム１０の熱効率が向上する。
【００８０】
さらに、ステップＳ７（第７のステップ）で、（ｍ＋１）個目の燃料電池モジュール１２（ｍ＋１）の温度Ｔ（ｍ＋１）が温度設定値Ｔ１以上であるとされた際、ステップＳ９（第９のステップ）が実行される。従って、ｍ個目の燃料電池モジュール１２ｍの現在発電量Ｐｎｏｗ（ｍ）と第２発電量設定値Ｐ２とが比較されるため、適切な処理を実行させることができる。
【００８１】
さらにまた、ステップＳ７（第７のステップ）で、（ｍ＋１）個目の燃料電池モジュール１２（ｍ＋１）の温度Ｔ（ｍ＋１）が温度設定値Ｔ１未満であるとされた際、ステップＳ８（第８のステップ）が実行される。これにより、（ｍ＋１）個目の燃料電池モジュール１２（ｍ＋１）に排ガスの供給が開始又は前記排ガスの流量が増加されるため、適切な処理を実行させることが可能になる。
【００８２】
しかも、（ｍ＋１）個目の燃料電池モジュール１２（ｍ＋１）に排ガスの供給が開始又は前記排ガスの流量が増加されるため、未稼動である（ｍ＋１）個目の前記燃料電池モジュール１２（ｍ＋１）の温度Ｔ（ｍ＋１）を熱自立可能な温度範囲に昇温することができる。
【００８３】
また、ステップＳ８（第８のステップ）の後、ステップＳ２（第２のステップ）に戻される。このため、（ｍ＋１）個目の燃料電池モジュール１２（ｍ＋１）の温度Ｔ（ｍ＋１）が発電効率のよい温度に昇温するまで、（ｍ＋１）個目の前記燃料電池モジュール１２（ｍ＋１）が稼動することがなく、燃料電池システム１０の発電効率の向上が図られる。
【００８４】
さらに、ステップＳ９（第９のステップ）で、現在発電量Ｐｎｏｗ（ｍ）が第２発電量設定値Ｐ２以上であるとされた際、ステップＳ１０（第１０のステップ）が実行される。従って、現在発電量Ｐｎｏｗ（ｍ）が第２発電量設定値Ｐ２以上である際に、（ｍ＋１）個目の燃料電池モジュール１２（ｍ＋１）の発電量が多くなるように制御するため、適切な処理を実行させることが可能になる。
【００８５】
さらにまた、この制御プログラムは、ステップＳ９（第９のステップ）で、ｍ個目の燃料電池モジュール１２ｍの現在発電量Ｐｎｏｗ（ｍ）が第２発電量設定値Ｐ２未満であるとされた際、ステップＳ２（第２のステップ）に戻される。これにより、無駄なステップを省くことが可能になり、処理の迅速化が容易に図られる。しかも、ｍ個目の燃料電池モジュール１２ｍ及び（ｍ＋１）個目の燃料電池モジュール１２（ｍ＋１）を熱自立可能な発電量範囲で発電することができ、燃料電池システム１０の発電効率の向上が図られる。
【００８６】
また、燃料電池モジュール１２（１２ａ〜１２ｎ）は、固体酸化物形燃料電池モジュールであることが好ましい。これにより、高温型燃料電池モジュールに最適に採用することができる。
【符号の説明】
【００８７】
１０…燃料電池システム
１２、１２ａ〜１２ｎ…燃料電池モジュール
１４…制御装置                      １８…燃料電池スタック
２０…燃料ガス供給連通孔            ２２…酸化剤ガス供給連通孔
２４…排ガス連通孔                  ２６…熱交換器
２８…蒸発器                        ３０…改質器
３２…燃焼器                        ３３…温度センサ
３４…排ガス通路                    ３６…空気通路
３８…空気供給管                    ４０…酸化剤ガス供給装置
４２…原燃料通路                    ４４…水通路
４６…原燃料供給装置                ４８…水供給装置
５０、５０ａ〜５０ｎ…排ガス排出通路
５２、５２ａ〜５２ｎ…流量調整弁    ５４、５４ａ〜５４ｎ…排ガス供給通路
５６…切替弁                        ６０…燃料利用率制御部
６２…排ガス流量制御部              ６４…発電量制御部
６６…比較部
【図１】
2010282798.tif 000003
【図２】
2010282798.tif 000004
【図３】
2010282798.tif 000005
【図４】
2010282798.tif 000006
【図５】
2010282798.tif 000007
【図６】
2010282798.tif 000008